(57)【要約】【課題】  この発明は，インターネットまたは携帯電話を経由して，家庭内にある機器のＯＮ，ＯＦＦ情報を外出先に通報したり，また逆に外出先からインターネットまたは携帯電話を通じて，家庭内にある機器の電源をＯＮ，ＯＦＦするシステムを構成するときに用いる，ゲートウェイ装置を提供する。【解決手段】  本発明は上の課題を解決するためになされたものであり，インターネットを経由してＰＣや携帯電話から遠隔地にある機器の電源のＯＮ，ＯＦＦを制御できるようにする。  また，インターネットを経由してＰＣや携帯電話から遠隔地にある機器の電源のＯＮ，ＯＦＦ情報を取得できるようにする。【選択図】      図１
2005333602.tif 000002
【特許請求の範囲】
【請求項１】
インターネットを経由してＰＣや携帯電話から遠隔地にある機器の電源のＯＮ，ＯＦＦを制御するゲートウェイを提供する。
【請求項２】
インターネットを経由してＰＣや携帯電話から遠隔地にある機器の電源のＯＮ，ＯＦＦ情報を取得できるようにする。
【発明の詳細な説明】
【技術分野】
【０００１】  この発明は，インターネットを経由してＰＣや携帯電話から遠隔地にある機器の電源のＯＮ，ＯＦＦを制御したり，遠隔地にある機器の電源のＯＮ，ＯＦＦ情報を取得できるようにすることに関する。
【背景技術】
【０００２】  従来，家庭内にある機器のＯＮ，ＯＦＦ情報を公衆電話回線を経由して，外出先の携帯電話に通報するシステムは保安機器として実用化されているが，汎用性がない。
【発明の開示】
【発明が解決しようとする課題】
【０００３】  情報家電システムを構築するに当たって，各機器を管理するゲートウェイの構造が求められている。ここではインターネット上からネットワーク環境を設定でき，どこからでも遠隔地にある機器のＯＮ，ＯＦＦを制御できるシステムを構築する課題を解決しようとしている。
【課題を解決するための手段】
【０００４】  本発明は上の課題を解決するためになされたものであり，図１の構造によってインターネットを経由してＰＣや携帯電話から遠隔地にある機器の電源のＯＮ，ＯＦＦを制御できるようにする。【０００５】  また本発明はインターネットを経由してＰＣや携帯電話から遠隔地にある機器の電源のＯＮ，ＯＦＦ情報を取得できるようにする。
【発明の効果】
【０００６】  上記のような制御や情報取得を効率よく行う，ゲートウェイ装置を提案する。【０００７】  インターネットを経由して通報システムを構成すると，遠くにある機器の電源を無人でＯＮ，ＯＦＦ操作が可能になる。【０００８】  さらにこのゲートウェイには，ソフトを追加することによってあらゆる情報家電を外部から制御するためのゲートウェイとして利用できる。
【発明を実施するための最良の形態】
【０００９】  本発明は図１に示す構造となっている。制御側で必要な機器は，ＰＣ１，インターネット接続装置２，携帯電話３であり，被制御側で必要な機器は，ホームゲートウェイ４，被制御機器５，ＩＰカメラ６である。ＩＰカメラ６はオプションで，これを設置しておくことによって，制御された遠隔地の様子を手元で映像として確認できる。【０００１０】  本発明は，ＰＣ１または携帯電話３からインターネット７を経由して，ホームゲートウェイ４に対して被制御機器５に指示を与える機能をもつ。図１中の被制御機器５としては電気スタンドの例を示している。【０００１１】  本発明は，ホームゲートウェイ４が，ＰＣ１または携帯電話３からインターネット７を経由して送られた信号を受信して，被制御機器５のＯＮ，ＯＦＦ制御を行い，ＯＮ，ＯＦＦ情報をＰＣ１または携帯電話３に伝える機能を持つ。【００１２】  本発明は，また補足的にＩＰカメラ６により被制御機器５の映像を遠隔地から確認するためにＰＣ１または携帯電話３に配信する機能をもつ。【００１３】  遠隔地の被制御機器５を制御するときに，インターネット７に接続したＰＣ１または携帯電話３から指示を与える制御処理を行うプログラムを作成した。ここではどのＰＣ１または携帯電話３からでも利用できるように，ホームゲートウェイ４上のウェブサーバに設置しておいて，ウェブブラウザから利用する方式とした。このプログラムは指示したい被制御機器５のＯＮ／ＯＦＦ状態を制御文字，例えばＯＮの場合は文字Ａ，ＯＦＦの場合はＡ以外の文字によって表わす機能を持つ。
【実施例】
【００１４】  本発明による実施例としてＳｗｉｔｃｈ１，Ｓｗｉｔｃｈ２という２つの被制御機器５，この場合は照明器具，の電源をＯＮ，ＯＦＦする場合を示す。図２はこの場合の，ホームゲートウェイ４のハードウェア構成を示す。このハードウェアの外観として図３（ａ）に表面，図３（ｂ）に裏面を示す。【００１５】  図２に示した装置は大きく３つの部分，すなわち小型Ｌｉｎｕｘサーバ８，制御用マイコンボード９，Ｓｗｉｔｃｈ１とＳｗｉｔｃｈ２用の２チャネルのＯＮ／ＯＦＦ切換回路１０ａ，１０ｂから構成されている。【００１６】  制御用マイコンボード９は小型Ｌｉｎｕｘサーバ８からの信号を待ち続けて，信号が来るたびに電源のＯＮ／ＯＦＦの切替えを操作する。また制御用マイコンボード９は小型Ｌｉｎｕｘサーバ８から信号が来るたびに，応答を送る。【００１７】  小型Ｌｉｎｕｘサーバ８上においてウェブからアクセスする初期設定と，制御機能を実現する２種類のＣＧＩプログラムと，制御用マイコンボード９上において指示した制御を実行するプログラムを作成する。【００１８】  小型Ｌｉｎｕｘサーバ８はウェブサーバの機能をもっている。フォルダＳｗｉｔｃｈにファイルｉｎｄｅｘ．ｈｔｍｌを置いておく。また，Ｓｗｉｔｃｈ１用の２つのプログラムｓｗ＿ｌｂ１ａ．ｃｇｉ，ｓｗ＿ｌｂ１ｂ．ｃｇｉとＳｗｉｔｃｈ２用の対応する２つのプログラムｓｗ＿ｌｂ２ａ．ｃｇｉ，ｓｗ＿ｌｂ２ｂ．ｃｇｉの４つのプログラムを置いておく。ｓｗ＿ｌｂ１ａ．ｃｇｉとｓｗ＿ｌｂ２ａ．ｃｇｉ，またｓｗ＿ｌｂ１ｂ．ｃｇｉとｓｗ＿ｌｂ２ｂ．ｃｇｉは，ほとんど同じである。【００１９】  ＰＣ１または携帯電話３から操作するために，ウェブブラウザを立ち上げて，ＵＲＬを2005333602.tif 000003
／Ｓｗｉｔｃｈ／にアクセスしてｉｎｄｅｘ．ｈｔｍｌのファイルを取り寄せると，図４のような制御用初期画面があらわれる。ここで制御したいＳｗｉｔｃｈ１かＳｗｉｔｃｈ２のいずれかをクリックする。【００２０】  Ｓｗｉｔｃｈ１をクリックするとゲートウェイサーバ上に置いてあるｓｗ＿ｌｂ１ａ．ｃｇｉが，Ｓｗｉｔｃｈ２をクリックするとｓｗ＿ｌｂ２ａ．ｃｇｉが実行される。ｓｗ＿ｌｂ１ａ．ｃｇｉは，図５に示す処理を行う。【００２１】  たとえばＳｗｉｔｃｈ１をクリックするとサーバ上においてあるｓｗ＿ｌｂ１ａ．ｃｇｉが実行され，図６（ａ）の画面が表示される。この制御画面はＨＴＭＬ言語のＦｏｒｍタグを使っている。送信ボタンが２つで，それぞれがＯＮかＯＦＦのデータを送信する。【００２２】  図６（ａ）の上方に現在の電源の状態が表示され，ここでは現在Ｓｗｉｔｃｈ１がＯＦＦであることを示している。【００２３】  クライアントが制御画面にアクセスするとき，毎回スイッチの最終状態を表示するために，初期設定を行った。小型Ｌｉｎｕｘサーバ８が制御用マイコンボード９に信号を送るとき，制御用マイコンボード９からの応答を待つ。制御用マイコンボード９からの応答をｄａｔａ．ｄａｔというファイルに保存するページがアクセスされるときにｄａｔａ．ｄａｔファイルから，データを読み込んでスイッチがＯＮかＯＦＦかを表示する。【００２４】  図６（ａ）の下方にＯＮとＯＦＦの操作ボタンが表示され，この操作ボタンにより電源のＯＮ／０ＦＦ操作を行う。ＯＮ，ＯＦＦを指示するとｓｗ＿ｌｂ１ｂ．ｃｇｉが実行される。ｓｗ＿ｌｂ１ｂ．ｃｇｉの処理は図７に示すように，受信したデータがＯＮのときは文字Ａを，ＯＦＦのときは文字Ｂを制御用マイコンボード９に書き込む。【００２５】  制御用マイコンボード９上では，小型Ｌｉｎｕｘサーバ８から受け取った信号を元にしてＯＮ／ＯＦＦ切換回路１０ａ，１０ｂを駆動させるために，ポート５をＳｗｉｔｃｈ１の制御用に，ポート８をＳｗｉｔｃｈ２の制御用に用いて，図８に示した処理を行う。各ＳｗｉｔｃｈがＯＮやＯＦＦになった後，そのことをＡ，Ｂ，Ｃ，Ｄの文字によって小型Ｌｉｎｕｘサーバ８に知らせる。【００２６】  図６（ａ）の画面ＯＮボタンを押すとこれらの処理が行われ，図６（ｂ）の画面が表示され，Ｓｗｉｔｃｈ１がＯＮになったことが理解できる。【００２７】  現場にＩＰカメラを設置し，現場のＯＮ／ＯＦＦ情報を映像でも確認できる。図９はその一例であり，Ｓｗｉｔｃｈ１，Ｓｗｉｔｃｈ２で照明器具のＯＮ／ＯＦＦを切り換えたときの様子を示している。図９（ａ）はＳｗｉｔｃｈ１，Ｓｗｉｔｃｈ２の両方ともＯＦＦの場合，図９（ｂ）は，Ｓｗｉｔｃｈ１がＯＮ，Ｓｗｉｔｃｈ２がＯＦＦの場合，図９（ｃ）はＳｗｉｔｃｈ１，Ｓｗｉｔｃｈ２の両方ともＯＮの場合，図９（ｄ）はＳｗｉｔｃｈ１がＯＦＦでＳｗｉｔｃｈ２がＯＮの場合である。
【産業上の利用可能性】
【図面の簡単な説明】
【図１】遠隔地にある機器の電源のＯＮ，ＯＦＦ制御およびＯＮ，ＯＦＦ情報の取得を行うシステムの構成図である。
【図２】ホームゲートウェイ装置のハードウェア構成図である。
【図３】製作したホームゲートウェイ装置の外観図である。（ａ）表面を示した図である。（ｂ）裏面を示した図である。
【図４】ＰＣや携帯電話からアクセスした制御用初期画面を示した図である。
【図５】小型Ｌｉｎｕｘサーバ上で行うｓｗ＿ｌｂ１ａ．ｃｇｉの処理を示した図である。
【図６】Ｓｗｉｔｃｈ１のウェブブラウザの操作画面を示した図である。（ａ）ＯＮ／ＯＦＦ操作画面を示した図である。（ｂ）ＯＮ状態を表示する画面を示した図である。
【図７】小型Ｌｉｎｕｘサーバ上で行うｓｗ＿ｌｂ１ｂ．ｃｇｉの処理を示した図である。
【図８】制御用マイコンボードの処理を示した図である。
【図９】電灯の点灯・消灯実験結果を示した図である。ここで左側のスタンドがＳｗｉｔｃｈ１，右側はＳｗｉｔｃｈ２である。（ａ）Ｓｗｉｔｃｈ１，２ともＯＦＦの場合を示した図である。（ｂ）Ｓｗｉｔｃｈ１のみＯＮの場合を示した図である。（ｃ）Ｓｗｉｔｃｈ１，２ともＯＮの場合を示した図である。（ｄ）Ｓｗｉｔｃｈ２のみＯＮの場合を示した図である。
【符号の説明】
１  ＰＣ２  インターネット接続装置３  携帯電話４  ホームゲートウェイ装置５  被制御機器（ここでは照明器具）６  ＩＰカメラ７  インターネット８  小型Ｌｉｎｕｘサーバ９  制御用マイコンボード１０ａ，１０ｂ  ＯＮ／ＯＦＦ切換回路１１  ＡＣアダプタ１２  電源
【図１】
2005333602.tif 000004
【図２】
2005333602.tif 000005
【図３】
2005333602.tif 000006
【図４】
2005333602.tif 000007
【図５】
2005333602.tif 000008
【図６】
2005333602.tif 000009
【図７】
2005333602.tif 000010
【図８】
2005333602.tif 000011
【図９（ａ）】
2005333602.tif 000012
【図（ｂ）】
2005333602.tif 000013
【図（ｃ）】
2005333602.tif 000014
【図（ｄ）】
2005333602.tif 000015